(57)【特許請求の範囲】
【請求項１】
所定の長さを有しその長手方向の一端部の端面を吸着面とし他端部を基部とした鉄芯を、前記鉄芯と所定の間隔を有し前記吸着面に対して略直角に延伸する平面部と該平面部から各々同方向に前記吸着面と略平行になるようにして第１取付部と第２取付部とを有している取付部材に対し、該一端部を該第１取付部に該他端部を該第２取付部に取り付けるようにした電磁石を有するカメラ用シャッタにおいて、前記鉄芯の基部近傍位置において前記平面部に対向して形成された第１係合部と、前記第１取付部に形成されていて前記一端部の側面に対して異なる角度で係接する第２係合部及び第３係合部と、前記第２取付部に形成されていて前記基部に前記平面部とは反対側で係接する第４係合部と、前記第２取付部に形成されていて前記基部を前記第４係合部方向と前記一端部方向とに押圧する押圧部と、前記第１取付部と前記第２取付部の間で前記平面部に前記鉄芯に対向して形成されており前記長手方向に沿う中心線から前記平面部の平面に沿ってずれたところで前記第１係合部に係接する第５係合部と、を備え、前記押圧部の押圧力が第１係合部と第５係合部との係接位置を支点とし、前記一端部を前記第２係合部と前記第３係合部とに係接させるようにしたことを特徴とする電磁石取付機構。
【請求項２】
前記取付部材が金属製の板材で製作されており、前記第１取付部，前記第２取付部，前記第５係合部は該板材の折曲部であり、前記第２係合部及び前記第３係合部は前記第１取付部において前記鉄芯の一端部を挿入する孔の端面であり、前記第４係合部は第２取付部において前記鉄芯の基部に形成された突起を挿入する孔の端面であり、前記押圧部は第２取付部に形成された前記孔に面するようにして形成していることを特徴とする請求項１に記載のカメラ用シャッタの電磁石取付機構。
【請求項３】
前記鉄芯は略Ｕ字形をし吸着面を有する端部を二つ備えており、また前記第１取付部は両者間に所定の間隔を有した二つの部分からなり、該端部の一方は該二つの部分によって形成された孔の前記第２係合部及び前記第３係合部に係接するようにし、該端部の他方は該孔を形成している部位とは異なる部位で該二つの部分に係接可能にしたことを特徴とする請求項１又は２に記載のカメラ用シャッタの電磁石取付機構。
【請求項４】
前記取付部材が合成樹脂の一体成形で製作されていることを特徴とする請求項１乃至３の何れかに記載のカメラ用シャッタの電磁石取付機構。
【発明の詳細な説明】
【０００１】
【発明の属する技術分野】
本発明は、シャッタ羽根の走行開始時機等を制御するための極めて小型の電磁石を、取付け部材に好適に取り付けられるようにしたカメラ用シャッタの電磁石取付け機構に関する。
【０００２】
【従来の技術】
最近のカメラ用シャッタは、レンズシャッタ，フォーカルプレンシャッタの区別なく、殆ど全ての種類のものが電子回路によって制御されている。そして、機械部品であるシャッタ羽根の走行開始時機は、電磁石の釈放時機に依存して行われる。電磁石としては、通常、鉄芯が略Ｕ字形をしておりその一方の脚部にコイルを巻回したものが多く用いられる。このような電磁石の取付け精度は可なり厳しく、確実に取り付ける必要があるため、従来は取付部材に対する鉄芯の姿勢調整を入念に行いながらビスで止めていた。
【０００３】
しかし、このような方法は部品が多く工数が大きいことから、ビス止めを不要にし、且つ取付部材に簡単に取り付けられるようにした機構が特開平５−１１３０８号公報によって提案されている。その提案機構は、取付部材の平面部に対して脚部の配列が垂直になるよにして鉄芯を取り付けるものであるが、そのために、取付部材の平面部には鉄芯の一方の脚部の端面に接する規制部を形成し、また、取付部材の一部を略直角に折り曲げ且つ弾性を付与して押圧部とし、該規制部と押圧部で鉄芯を挟みつけ、該押圧部によって該脚部の端面を該規制部に押し付けるようにしたものである。
【０００４】
【発明が解決しようとする課題】
周知のように、鉄芯脚部の端面は、シャッタ羽根の駆動部材、又はその駆動部材をレリーズする部材の鉄片部を、それらのバネ力に抗して吸着保持する面である。従って、上記の提案機構は鉄芯脚部の端面を基準位置に正確に配置できる利点を有するが、一方、鉄芯脚部の端面を仮にその一部とはいえ該規制部との接触面にすることは、取付部材への取付時に該端面を損傷させ易いため好ましくないという不都合を有するので、出来ればそのような構成は採用したくない。
【０００５】
また、上記の提案機構は、鉄芯脚部の端面と該規制部との接触部が不安定な状態にある。即ち、該規制部と該脚部には形状公差があるため、押圧部の弾性によっては振動，衝撃，温度変化，耐久性等の影響で該脚部の先端位置が該端面の全ての方向にずれる可能性があり、極端な場合には脱落してしまう虞もある。それに対して、接着剤を用いればコストアップになるし、仮に該押圧部の弾性を強くしたとしても多かれ少なかれ上記の影響は免れないし、逆に強くすることによって鉄芯の組付けが困難になるという問題点がある。
【０００６】
本発明は、このような問題点を解決するためになされたものであり、その目的とするところは、カメラ用シャッタにおいて、ビス等を用いずとも、電磁石の位置が振動等によってずれないようにして、取付け部材に確実に固定されるようにした電磁石取付け機構を提供することである。
【０００７】
【課題を解決するための手段】
上記の目的を達成するために、本発明は、所定の長さを有しその長手方向の一端部の端面を吸着面とし他端部を基部とした鉄芯を、前記鉄芯と所定の間隔を有し前記吸着面に対して略直角に延伸する平面部と該平面部から各々同方向に前記吸着面と略平行になるようにして第１取付部と第２取付部とを有している取付部材に対し、該一端部を該第１取付部に該他端部を該第２取付部に取り付けるようにした電磁石を有するカメラ用シャッタにおいて、前記鉄芯の基部近傍位置において前記平面部に対向して形成された第１係合部と、前記第１取付部に形成されていて前記一端部の側面に対して異なる角度で係接する第２係合部及び第３係合部と、前記第２取付部に形成されていて前記基部に前記平面部とは反対側で係接する第４係合部と、前記第２取付部に形成されていて前記基部を前記第４係合部方向と前記一端部方向とに押圧する押圧部と、前記第１取付部と前記第２取付部の間で前記平面部に前記鉄芯に対向して形成されており前記長手方向に沿う中心線から前記平面部の平面に沿ってずれたところで前記第１係合部に係接する第５係合部と、を備え、前記押圧部の押圧力が第１係合部と第５係合部との係接位置を支点とし、前記一端部を前記第２係合部と前記第３係合部とに係接させるようにする。
【０００８】
また、本発明におけるカメラ用シャッタの電磁石取付機構は、好ましくは、前記取付部材が金属製の板材で製作されており、前記第１取付部，前記第２取付部，前記第５係合部は該板材の折曲部であり、前記第２係合部及び前記第３係合部は前記第１取付部において前記鉄芯の一端部を挿入する孔の端面であり、前記第４係合部は第２取付部において前記鉄芯の基部に形成された突起を挿入する孔の端面であり、前記押圧部は第２取付部に形成された前記孔に面するようにして形成する。
【０００９】
更に、本発明におけるカメラ用シャッタの電磁石取付機構は、好ましくは、前記鉄芯は略Ｕ字形をし吸着面を有する端部を二つ備えており、また前記第１取付部は両者間に所定の間隔を有した二つの部分からなり、該端部の一方は該二つの部分によって形成された孔の前記第２係合部及び前記第３係合部に係接するようにし、該端部の他方は該孔を形成している部位とは異なる部位で該二つの部分に係接可能に構成する。
【００１０】
【発明の実施の形態】
本発明の実施の形態を、フォーカルプレンシャッタに適用した実施例で説明する。図１は本実施例の分解斜視図である。また、図２は、図１の要部を説明するための拡大説明図であり、図（ａ）は鉄心の取付状態を示す取付基板の平面図、図（ｂ），図（ｃ），図（ｄ）は、夫々図（ａ）の各対応配置位置における側面図である。
【００１１】
図１において、シャッタ地板１には、露光用のアパーチャ１ａと円弧状のスロット１ｂ，１ｃが形成され、且つ軸１ｄ，１ｅ，１ｆ，１ｇが立設されている。そして、軸１ｄ，１ｅ，１ｆ，１ｇには、シャッタ地板１側から間座部，大径部，小径部が夫々形成されており、軸１ｄ，１ｅ，１ｆの大径部に先羽根駆動部材２，後羽根駆動部材３，セットレバー４が回転可能に取り付けられている。先羽根駆動部材２，後羽根駆動部材３には、夫々ピン２ａ，３ａが形成され、また電磁石に吸着される鉄片２ｂ，３ｂが取り付けられている。
【００１２】
先羽根駆動部材２，後羽根駆動部材３のピン２ａ，３ａは、スロット１ｂ，１ｃを貫通して、シャッタ地板１の背面側で、図示していない周知の先羽根群と後羽根群に連結しており、先羽根駆動部材２と後羽根駆動部材３が順次、時計方向へ回動することによって各羽根群に露光走行を行わせるようになっている。セットレバー４は、フィルムの巻き上げに連動して時計方向に回転し、先羽根駆動部材２，後羽根駆動部材３を、夫々の背面に設けられた図示していない周知の係合部（ローラ等）を押すことによって、セット位置まで反時計方向へ回転させるようになっている。
【００１３】
軸１ｄ，１ｅの小径部にはラチェット歯車５，６が回転可能に取り付けられている。先羽根駆動部材２と後羽根駆動部材３の軸部には、駆動バネ７，８が配されており、周知のようにして一端は各々先羽根駆動部材２，後羽根駆動部材３に、他端は各々ラチェット歯車５，６に掛けられている。電磁石用の取付基板９とプリント配線板１０は、重ね合わせて、孔９ａ，１０ａを軸１ｄの小径部に、孔９ｂ，１０ｂを軸１ｅの小径部に、また孔９ｃ，１０ｃを軸１ｆの小径部に、孔９ｄ，１０ｄを軸１ｇの小径部に夫々嵌合させ、その後、軸１ｄ，１ｅの先端に形成されたネジ孔にビス１１，１２を螺合させることによって、取り付けられている。
【００１４】
先羽根制御用の電磁石は、略Ｕ字形をした鉄芯１３と、コイル１４を巻回したボビン１５とで構成され、後羽根制御用の電磁石は、同様に略Ｕ字形をした鉄芯１６と、コイル１７を巻回したボビン１８とで構成されている。鉄芯１３，１６は、夫々、二つの脚部１３ａ，１３ｂ，１６ａ，１６ｂと、三つの突起１３ｃ，１３ｄ，１３ｅ，１６ｃ，１６ｄ，１６ｅを有している。そして、ボビン１５，１８は、夫々脚部１３ａ，１６ａに嵌装される。コイル１４，１７の端子ピン１４ａ，１７ａはボビン１５，１８に圧入されており、その先端がプリント配線板１０の各一対の孔１０ｅ，１０ｆを貫通し、半田によって該配線板１０上の回路に接合されている。
【００１５】
次に、上記した取付基板９の詳細な形状の説明と各電磁石の取り付け構成を説明する。図２においては、鉄芯１３，１６に斜線を付けてあるが、これは取付基板９に対する鉄芯１３，１６の配置形態を分かり易くするために付けたものであり、断面を示すものではない。また、鉄芯１３，１６の脚部１３ａ，１６ａには、実際には上記したようにボビン１５，１８が嵌装されているが、その図示を省略してある。また、鉄芯１３，１６の取り付け方は全く同じであるため、鉄芯１６の取り付け方についてのみ詳細に説明する。尚、図２（ａ）にはラチェット爪９ｅ，９ｆが形成されているが、これはラチェット歯車５，６を回転させ駆動バネ７，８の力を調整した後、ラチェット歯車５，６に噛合させ回転しないようにするためのものである。
【００１６】
鉄芯１６は、上記したように略Ｕ字形をしており、二つの脚部１６ａ，１６ｂと、その基部には三つの突起１６ｃ，１６ｄ，１６ｅを有している。二つの脚部１６ａ，１６ｂの先端面は、駆動部材３の鉄片３ｂを吸着する面である。取付基板９は金属製の板材で製作されており、図２（ｂ）から分かるように折り曲げ加工によって三つの折曲部９ｇ，９ｈ，９ｉを形成している。折曲部９ｇは図２（ｃ）から分かるように、所定の間隙を挟んだ二つの折曲片９ｇ1 ，９ｇ2 からなり、両者は該間隙を間にして実質的には略方形の孔を合成している。
【００１７】
この孔状の方形部には鉄芯１６の脚部１６ａが嵌合されている。そして、この脚部１６ａには、後述するように２方向に偏倚力が与えられているが、図（ｃ）において左上方への移動を規制部９ｇ1-1 ，９ｇ2-1 によって規制され、左下方への移動を規制部９ｇ1-2 によって規制されている。そのほか折曲片９ｇ1 にはガイド部９ｇ1-3 が、折曲片９ｇ2 にはガイド部９ｇ2-2 ，９ｇ2-3 が形成されている。また、折曲片９ｇ1 ，９ｇ2 の先端間には鉄芯１６の脚部１６ｂを配置させている。そのため、予期しない衝撃等によって鉄芯１６に対し上記偏倚力に抗する大きな力が作用しても、図（ｃ）において脚部１６ａを支点にして大きく振れないようになっている。
【００１８】
また、図（ｄ）から分かるように、折曲部９ｈには孔９ｈ1 が形成されている。この孔９ｈ1 には、該突起１６ｄが左上方へ移動するのを阻止するために規制部９ｈ1-1 が形成されている。更に、孔９ｈ1 に面して、先端に曲面を有する押圧部９ｈ2 が弾性を有するようにして形成されており、その弾性によって突起１６ｄに押圧力を与えている。更に、折曲部９ｉは、図（ａ）から分かるように、折曲部９ｇ（９ｇ1,９ｇ2 ）と折曲部９ｈとを結ぶ中心線、即ち鉄芯１６の長手方向の中心線よりも左側にずれた位置に形成されている。
【００１９】
鉄芯１６を取付基板９に取り付けるには、先ず、図（ｃ）において右下方より左上方に向けて、脚部１６ａの先端部を折曲片９ｇ1,９ｇ2 の間に挿入して行き、その側面の角部でガイド部９ｇ1-3,９ｇ2-3 を押し広げ、二つの折曲片９ｇ1,９ｇ2 で合成された実質上の方形孔に嵌合状態とする。それによって、折曲片９ｇ1,９ｇ2 は自己の弾性で図（ｃ）の状態に復帰する。次に、突起１６ｄで、折曲部９ｈを押し広げるようにしながら突起１６ｃの先端を折曲部９ｉと折曲部９ｈとの間に押し込んでいく。そうすると、突起１６ｄが押圧部９ｈ2 を押して行き、該突起１６ｄの全端面が孔９ｈ1 に対向したとき、折曲部９ｈが自己の弾性で僅かに復帰し、図（ｂ）の状態になる。
【００２０】
この状態においては、突起１６ｃが折曲部９ｉに当接するため、その当接部を支点として、鉄芯１６は、図（ｂ）において時計方向へ、また図（ａ）においても時計方向へ押されることになる。そのため、図（ｂ）における時計方向への力によって、脚部１６ａの先端は規制部９ｇ1-1,９ｇ2-1 に当接し、突起１６ｄは規制部９ｈ1-1 に当接する。また、図（ａ）における時計方向への力によって、脚部１６ａの先端は規制部９ｇ1-2 に当接する。この状態が組付け完了状態である。
【００２１】
このように、本実施例によれば、組立状態において鉄芯１６に対して２方向に偏倚力が与えられているため、何らかの力によって脚部１６ａの先端が、ガイド部９ｇ1-3,９ｇ2-2,９ｇ2-3 に制限される範囲で動かされても、必ず図示の状態に復帰し、所定の姿勢を維持させることが可能となる。従って、本実施例の電磁石は、機械的には常に同じ条件での制御が可能となる。また、本実施例においては、上記のように折曲部９ｇを二つの折曲片９ｇ1,９ｇ2 で構成しているので、鉄芯１６の組付け時に、鉄片３ｂの吸着面である脚部１６ａ，１６ｂの先端面を損傷させずに取付基板９に組付けることができ、また組付け後も該先端面が取付基板９に接触していないから、損傷するような虞がない。
【００２２】
尚、上記の実施例においては、折曲部９ｇを二つの折曲片９ｇ1 ，９ｇ2 で構成したが、折曲部９ｈのように一つの折曲片とし、それに脚部１６ａを嵌合させる孔を形成するようにしても差し支えない。また、脚部１６ａの偏倚方向は本実施例のものに限定されず、異なる二つの角度方向へ偏倚され、脚部１６ａが二つの規制部によって安定位置を維持することができればどのようにしても構わない。また、取付基板９は金属製に限定されず、合成樹脂の一体成形で製作してもよい。また、鉄芯は二つの脚部を有するものに限定されない。更に、本発明の電磁石取付機構はシャッタ羽根の走行時機制御用の電磁石にのみ適用されるものではなく、例えば電磁レリーズ用の電磁石にも適用が可能である。
【００２３】
【発明の効果】
上記のように、本発明は、ビス等の他の固定部品や接着剤を用いずとも、取付部材を所定の構成にすることによって、該取付部材に電磁石を簡単に取り付けることができ、しかも鉄芯に対して異なる２方向へ偏倚力を与えるようにしているため、振動等の他の力が加わっても吸着面を所定の状態に維持でき、電磁石による制御を安定したものにすることが可能である。
【図面の簡単な説明】
【図１】本発明の実施例の分解斜視図である。
【図２】図１の要部説明図であり、図（ａ）は平面図、図（ｂ），図（ｃ），図（ｄ）は図（ａ）の各対応位置における側面図である。
【符号の説明】
１                          シャッタ地板
１ｄ，１ｅ，１ｆ，１ｇ      軸
２                          先羽根駆動部材
２ｂ，３ｂ                  鉄片
３                          後羽根駆動部材
４                          セットレバー
５，６                      ラチェット歯車
７，８                      駆動バネ
９                          取付基板
９ａ，９ｂ，９ｃ，９ｄ，９ｈ1     孔
９ｅ，９ｆ                  ラチェット爪
９ｇ，９ｈ，９ｉ            折曲部
９ｇ1,９ｇ2                 折曲片
９ｇ1-1,９ｇ1-2,９ｇ2-1,９ｈ1-1     規制部
９ｇ1-3,９ｇ2-2,９ｇ2-3     ガイド部
１３，１６                  鉄芯
１３ａ，１３ｂ，１６ａ，１６ｂ    脚部
１３ｃ，１３ｄ，１３ｅ，１６ｃ，１６ｄ，１６ｅ    突起
１４，１７                  コイル
１５，１８                  ボビン
【図１】
0003705852.tif 000002
【図２】
0003705852.tif 000003